Podtech/llm-jp-corpus-v4-ja_patent huggingface dataset:
【手続補正書】
【提出日】平成24年10月26日(2012.10.26)
【手続補正１】
【補正対象書類名】明細書
【補正対象項目名】０００７
【補正方法】変更
【補正の内容】
【０００７】
上記目的は請求項１記載の発明により達成され、この請求項１記載の発明は、照明装置に複数の光源を設けるとともに、各光源を、ボトル壁面部に対して線状の光線を照射するよう構成し、このボトル壁面部に照射される各光線を互いに離間させ、照明装置の光源側面部に少なくとも１つの基板を設け、光源を、該基板において、垂直方向への列状に互いに間隔を空けつつ配置したことを特徴としている。
【手続補正２】
【補正対象書類名】特許請求の範囲
【補正対象項目名】全文
【補正方法】変更
【補正の内容】
【特許請求の範囲】
【請求項１】
壁面部に特徴部が形成されたボトル（２）及びこれに類する容器の検出システムであって、光源側面部（１０）を有する照明装置（３）と、少なくとも１つのカメラ（５）を有する光学装置（４）とを備えて成る前記検出システムにおいて、
前記照明装置（３）に複数の光源（６）を設けるとともに、各光源（６）を、ボトル壁面部（８）に対して線状の光線（７）を照射するよう構成し、このボトル壁面部（８）に照射される各光線（７）を互いに離間させ、前記照明装置（３）の光源側面部（１０）に少なくとも１つの基板（１２）を設け、前記光源（６）を、該基板（１２）において、垂直方向への列状に互いに間隔を空けつつ配置したことを特徴とする検出システム。
【請求項２】
垂直方向の光線模様（１５）が前記ボトル壁面部（８）へ照射されるよう前記照明装置（３）を構成したことを特徴とする請求項１記載の検出システム。
【請求項３】
前記ボトル（２）方向に向いた前記光源側面部（１０）を有する支持部材（９）を前記照明装置（３）に設けたことを特徴とする請求項１又は２記載の検出システム。
【請求項４】
前記照明装置（３）を、少なくともその光源側面部（１０）において円弧状に形成したことを特徴とする請求項１〜３のいずれか１項に記載の検出システム。
【請求項５】
前記光学装置（４）に複数のカメラ（５）を設けたことを特徴とする請求項１〜４のいずれか１項に記載の検出システム。
【請求項６】
少なくとも１つの前記カメラ（５）に光学レンズ（１７）を設けたことを特徴とする請求項１〜５のいずれか１項に記載の検出システム。
【請求項７】
前記照明装置（３）を互いに隣接して設けられた複数の導光部（２０）で形成するとともに、該各導光部（２０）の背面側に前記光源（６）を設け、このとき、前記光源側面部（１０）が所定の曲率（２４）を有するよう構成したことを特徴とする請求項１〜６のいずれか１項に記載の検出システム。
【請求項８】
前記照明装置（３）を互いに隣接して設けられた複数の導光部（２０）で形成するとともに、該各導光部（２０）の背面側に前記光源（６）を設け、このとき、垂直方向に延在する複数の光出射開口部を有するカバーを光源側面部（１０）に設けたことを特徴とする請求項１〜７のいずれか１項に記載の検出システム。
【請求項９】
前記カバーを、所定のスリット幅及び所定のスリット間隔を有する絞り部材として形成したことを特徴とする請求項８記載の検出システム。
【請求項１０】
前記各導光部（２０）を直方体状の無色透明なプレキシガラス（登録商標）製棒状部材として形成するとともに、これらのそれぞれ隣接する側面部（２３）を平面的に互いに接するよう構成したことを特徴とする請求項７〜９のいずれか１項に記載の検出システム。
【請求項１１】
請求項１〜１０のいずれかに記載の検出システムをボトルの継ぎ目及び／又はエンボス部を識別するために使用することを特徴とする検出システムの使用方法。
【請求項１２】
請求項１〜１０のいずれかに記載の検出システムをラベリング装置において使用することを特徴とする検出システムの使用方法。
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
酸化ストレス誘発剤を含むレトロウイルスレゼルボア処置用組成物であって、前記酸化ストレス誘発剤は非鉄金属薬であり、前記金属薬はエピジェネティック調節剤である、組成物。
【請求項２】
前記エピジェネティック調節剤は、金含有化合物である、請求項１に記載の組成物。
【請求項３】
前記金含有化合物は、オーラノフィンであり、任意選択によりスベロイルアニリドヒドロキサム酸（ＳＡＨＡ）と併用される、請求項２に記載の組成物。
【請求項４】
前記エピジェネティック調節剤は、ヒ素含有化合物である、請求項１に記載の組成物。
【請求項５】
前記ヒ素含有化合物は、酸化ヒ素、例えば三酸化ヒ素（Ａｓ２Ｏ３）である、請求項４に記載の組成物。
【請求項６】
酸化ストレス誘発剤を含むレトロウイルスレゼルボア処置用組成物であって、前記酸化ストレス誘発剤は、グルタチオン合成阻害剤、例えばブチオニンスルホキシミンと併用されるヒストン脱アセチル化酵素阻害剤（ＨＤＡＣｉ）である、組成物。
【請求項７】
前記化合物は、前記レトロウイルスのレゼルボアの認定されたモデルにおいてレトロウイルス複製を誘発する能力がある、請求項１〜６のいずれか一項に記載の組成物。
【請求項８】
前記レトロウイルスは、ＨＩＶ−１であり、前記モデルは、Ｕ１およびＡＣＨ−２細胞モデルから選択される、請求項７に記載の組成物。
【請求項９】
前記レトロウイルスは、ＨＩＶウイルスである、請求項１〜８のいずれか一項に記載の組成物。
【請求項１０】
ヒストン脱アセチル化酵素阻害剤（ＨＤＡＣｉ）、ＢＳＯおよび／または鉄ニトリロアセテートまたは硫酸第一鉄のうちの少なくとも１つをさらに含む、請求項１〜９のいずれか一項に記載の組成物。
【請求項１１】
前記ＨＤＡＣｉは、
ａ）式
【化１】
2012506884.tif 000001
（式中、Ｙは、各々が不飽和または部分不飽和で、かつ、複素環式または単環式であり、２〜８個の連結原子を有する、１つまたは２つの６員環を含み、前記連結原子または環のいずれかは、アミノ基およびカルボニル基を含む。）
を有するベンズアミドＨＤＡＣ阻害剤、または
ｂ）式
【化２】
2012506884.tif 000002
（式中、Ｒは、直接結合またはエチレンもしくはエテニレン基、Ｘは＝ＣＨ−もしくは＝Ｎ−であり、Ｒ１は、アリールまたはヘテロアリールであり、かつ単環式もしくは二環式であり、Ｒ２は直鎖もしくは分枝鎖アルキルであり、任意選択により単環式もしくは二環式アリールまたはヘテロアリール基によって置換されている。）
を有するヒドロキサム酸ＨＤＡＣｉ
から選択される、請求項５または請求項５に従属する請求項１０に記載の組成物。
【請求項１２】
前記ベンズアミドは、添付の表１中のＭＣ２２１１およびＭＳ２７５として同定された化合物の１つに近似の類似体である、請求項１１に記載の組成物。
【請求項１３】
前記阻害剤は、式
【化３】
2012506884.tif 000003
を有する化合物である、請求項１１または１２に記載の組成物。
【請求項１４】
前記処置は、抗レトロウイルス療法をさらに含む、請求項１〜１３のいずれか一項に記載の組成物。
【請求項１５】
前記阻害剤は、Ｎ−（２−アミノフェニル）−４−［Ｎ−（ピリジン−３−イルメトキシカルボニル）アミノメチル］−ベンズアミド）である、請求項１１〜１５のいずれか一項に記載の組成物。
【請求項１６】
ＢＳＯおよびベンズアミドＨＤＡＣｉは併用投与される、請求項１４または１５に記載の組成物。
【請求項１７】
レトロウイルスレゼル処置用組成物を調製するための、請求項１〜１６のいずれか一項に記載の酸化ストレス誘発剤の使用。
【請求項１８】
ヒストン脱アセチル化酵素阻害剤（ＨＤＡＣｉ）、ＢＳＯ、金含有化合物、例えばオーラノフィン、ヒ素含有化合物、例えば三酸化ヒ素（Ａｓ２Ｏ３）および／または鉄ニトリロアセテートまたは硫酸第一鉄のうちの少なくとも１つをさらに含む、請求項１７に記載の使用。
【請求項１９】
請求項１〜１６のいずれか一項に記載の酸化ストレス誘発剤を含む、レトロウイルスが潜伏感染した細胞を前記細胞と前記酸化ストレス誘発剤とを接触させることによって選択的に標的化するための組成物。
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
式ＣＦ3ＣＸ＝ＣＸ2（式中、それぞれのＸは、ＦまたはＨであり、少なくとも１つのＸはＨであり、少なくとも１つのＸはＦである）のフルオロプロペンを製造する方法であって、
式ＣＦ3ＣＸＹＣＸ2Ｙ（式中、それぞれのＸは、ＦまたはＨであり、少なくとも１つのＸはＨであり、少なくとも１つのＸはＦであり、一方のＹはＣｌであり、他方のＹはＨである）のヒドロフルオロクロロプロパンを、前記ヒドロフルオロクロロプロパンの前記フルオロプロペンへの熱分解を行うために十分高い温度で維持された反応容器において気相中熱分解するステップを含み、触媒の不存在下で、前記フルオロプロペンの生成についての選択率が少なくとも８０％である、方法。
【手続補正２】
【補正対象書類名】明細書
【補正対象項目名】００４８
【補正方法】変更
【補正の内容】
【００４８】
ある種の特徴は、明確にするために、本明細書で別個の実施形態の内容で記載されており、単一の実施形態に組み合わせて提供されてもよいことが理解されるべきである。逆に、簡潔にするために、単一の実施形態の内容で記載されている様々な特徴はまた、別々にまたは任意の下位の組合せで提供されてもよい。さらに、範囲で記載される値への言及には、その範囲内のそれぞれおよびあらゆる値が含まれる。
本発明は以下の実施の態様を含むものである。
１．式ＣＦ3ＣＸ＝ＣＸ2（式中、それぞれのＸは、ＦまたはＨであり、少なくとも１つのＸはＨであり、少なくとも１つのＸはＦである）のフルオロプロペンを製造する方法であって、
式ＣＦ3ＣＸＹＣＸ2Ｙ（式中、それぞれのＸは、ＦまたはＨであり、少なくとも１つのＸはＨであり、少なくとも１つのＸはＦであり、一方のＹはＣｌであり、他方のＹはＨである）のヒドロフルオロクロロプロパンを、前記ヒドロフルオロクロロプロパンの前記フルオロプロペンへの熱分解を行うために十分高い温度で維持された反応容器において気相中熱分解するステップを含み、触媒の不存在下で、前記フルオロプロペンの生成についての選択率が少なくとも８０％である、方法。
２．前記フルオロプロペンの生成についての前記選択率が、約４時間の連続運転後に少なくとも８０％である、前記１．に記載の方法。
３．前記フルオロプロペンの生成についての前記選択率が、約１２時間の連続運転後に少なくとも７０％である、前記１．に記載の方法。
４．前記反応容器の温度が、約５００℃から約７００℃の範囲に維持される、前記１．に記載の方法。
５．前記フルオロプロペンの生成についての前記選択率が、少なくとも８５％である、前記１．に記載の方法。
６．前記ヒドロフルオロクロロプロパンが、蒸発器中約３０℃から約１００℃の温度で予備加熱される、前記１．に記載の方法。
７．前記反応容器に供給される前記ヒドロフルオロクロロプロパンが、不活性担体ガスをさらに含む、前記１．に記載の方法。
８．前記不活性ガスが、窒素、アルゴン、ヘリウムまたは二酸化炭素から選択される、前記７．記載の方法。
９．前記反応容器の温度が、約５００℃から約６５０℃の範囲に維持される、前記１．に記載の方法。
１０．前記ヒドロフルオロクロロプロパンが、１，１，１，２−テトラフルオロ−２−クロロプロパン、１，１，１，２−テトラフルオロ−３−クロロプロパン、１，１，１，３−テトラフルオロ−２−クロロプロパン、１，１，１，３−テトラフルオロ−３−クロロプロパン、１，１，１，２，３−ペンタフルオロ−２−クロロプロパン、１，１，１，２，３−ペンタフルオロ−３−クロロプロパン、１，１，１，３，３−ペンタフルオロ−２−クロロプロパンおよび１，１，１，３，３−ペンタフルオロ−３−クロロプロパンからなる群から選択される、前記１．に記載の方法。
１１．前記ヒドロフルオロクロロプロパンが、１，１，１，２−テトラフルオロ−２−クロロプロパンである、前記１．に記載の方法。
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
胃腸疾患を治療するための医薬品の製造における治療有効量の化合物または薬学的に許容されるその塩の使用であって、前記化合物が、式
【化１】
2012506870.tif 000001
で表される化合物であり、ここで、
Ｒ１０は水素またはアシルであり；
ＸはＨであり；かつＹはＯＲ７であり；ここで、Ｒ７は単糖または二糖、アルキル、アリール、ヘテロアリール、アシル、またはＣ（Ｏ）ＮＲ８Ｒ９であり、ここで、Ｒ８およびＲ９は、各々独立に、水素、ヒドロキシ、アルキル、アラルキル、アルキルアリール、ヘテロアルキル、アリール、ヘテロアリール、アルコキシ、ジメチルアミノアルキル、アシル、スルホニル、ウレイド、およびカルバモイルからなる群から選択されるか；またはＸおよびＹは、付加された炭素と一緒になってカルボニルを形成し；
Ｖは、Ｃ（Ｏ）、Ｃ（＝ＮＲ１１）、ＣＨ（ＮＲ１２，Ｒ１３）、またはＮ（Ｒ１４）ＣＨ２であり、ここで、Ｎ（Ｒ１４）は、Ｃ−１０炭素に付加されており；ここで、Ｒ１１はヒドロキシまたはアルコキシであり、Ｒ１２およびＲ１３は、各々独立に、水素、ヒドロキシ、アルキル、アラルキル、アルキルアリール、アルコキシ、ヘテロアルキル、アリール、ヘテロアリール、ジメチルアミノアルキル、アシル、スルホニル、ウレイド、およびカルバモイルからなる群から選択され；Ｒ１４は、水素、ヒドロキシ、アルキル、アラルキル、アルキルアリール、アルコキシ、ヘテロアルキル、アリール、ヘテロアリール、ジメチルアミノアルキル、アシル、スルホニル、ウレイド、またはカルバモイルであり；
Ｗは、Ｈ、Ｆ、Ｃｌ、Ｂｒ、Ｉ、またはＯＨであり；
Ａは、ＣＨ２、Ｃ（Ｏ）、Ｃ（Ｏ）Ｏ、Ｃ（Ｏ）ＮＨ、Ｓ（Ｏ）２、Ｓ（Ｏ）２ＮＨ、Ｃ（Ｏ）ＮＨＳ（Ｏ）２であり；
Ｂは、ｎが０〜１０の整数である（ＣＨ２）ｎであるか、またはＢは、炭素数２〜１０の不飽和炭素鎖であり；かつ
Ｃは、水素、ヒドロキシ、アルキル、アラルキル、アルキルアリール、アルコキシ、ヘテロアルキル、任意に置換されたアリール、任意に置換されたヘテロアリール、アミノアリール、アルキルアミノアリール、アシル、アシルオキシ、スルホニル、ウレイド、またはカルバモイルである、化合物または薬学的に許容されるその塩の使用。
【請求項２】
Ｒ７がアミノ糖またはハロ糖である、請求項１に記載の使用。
【請求項３】
Ｒ７が４−ニトロ−フェニルアセチルまたは２−ピリジルアセチルである、請求項１に記載の使用。
【請求項４】
Ｒ７が任意に置換されたクラジノシルである、請求項１に記載の使用。
【請求項５】
Ｒ７がクラジノシルである、請求項４に記載の使用。
【請求項６】
Ｖが−Ｃ（Ｏ）−である、請求項１に記載の使用。
【請求項７】
ＷがＨまたはＦである、請求項１に記載の使用。
【請求項８】
ＷがＦである、請求項１に記載の使用。
【請求項９】
ＸおよびＹが付加された炭素と一緒になってカルボニルを形成する、請求項１に記載の使用。
【請求項１０】
Ｒ１０が水素である、請求項１に記載の使用。
【請求項１１】
ＡがＣＨ２である、請求項１〜１０の何れか１項に記載の使用。
【請求項１２】
Ｂが（ＣＨ２）ｎであり、ｎが１〜５の整数である、請求項１〜１０のいずれか１項に記載の使用。
【請求項１３】
ｎが２〜４の整数である、請求項１２に記載の使用。
【請求項１４】
ｎが３である、請求項１２に記載の使用。
【請求項１５】
Ｃが任意に置換されたアリールまたは任意に置換されたヘテロアリールである、請求項１〜１０のいずれか１項に記載の使用。
【請求項１６】
Ｃが３−アミノフェニルまたは３−ピリジニルである、請求項１５に記載の使用。
【請求項１７】
Ｃが３−アミノフェニルである、請求項１５に記載の使用。
【請求項１８】
ＡがＣＨ２であり、Ｂが（ＣＨ２）ｎであり、ｎが２〜４の整数である、請求項１７に記載の使用。
【請求項１９】
ｎが３である、請求項１８に記載の使用。
【請求項２０】
前記医薬品が、腸炎もしくは胃腸炎、またはその組合せから選択される疾患の治療のために製造される、請求項１〜１０のいずれか１項に記載の使用。
【請求項２１】
前記医薬品が、少なくとも一部はサルモネラ菌、赤痢菌、ブドウ球菌、カンピロバクター、ヘリコバクター、クロストリジウム、大腸菌、およびエルシニア、ならびにそれらの組合せからなる群から選択される生物によって引き起こされる胃腸疾患の治療のために製造される、請求項１〜１０のいずれか１項に記載の使用。
【請求項２２】
前記生物がＨ．ピロリである、請求項２１に記載の使用。
【請求項２３】
前記生物がＣ．ジェジュニである、請求項２１に記載の使用。
【請求項２４】
前記生物がサルモネラ菌である、請求項２１に記載の使用。
【請求項２５】
前記生物が赤痢菌である、請求項２１に記載の使用。
【請求項２６】
胃腸疾患を引き起こす細菌感染を治療するための抗菌組成物であって、有効量の請求項１〜１０のいずれか１項に記載の化合物と、薬学的に許容される担体、賦形剤、もしくは希釈剤、またはその組合せとを含む抗菌組成物。
【請求項２７】
胃腸疾患を引き起こす細菌感染を治療するための単回または分割された単位用量または単位投薬形態であって、請求項１〜１０のいずれか１項に記載の１以上の化合物の治療有効量と、１以上の薬学的に許容される担体、希釈剤、もしくは賦形剤、またはその組合せとを含む、単位用量または単位投薬形態。
【請求項２８】
胃腸疾患を引き起こす細菌感染を治療するための医薬組成物であって、請求項１〜１０のいずれか１項に記載の１以上の化合物の治療有効量を含む、医薬組成物。
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
脱分枝デンプンと治療薬とを含むペレットを含む膣内使用組成物。
【請求項２】
膣坐薬、錠剤またはカプセル剤の形態である、請求項１に記載の組成物。
【請求項３】
前記ペレットが、押出／球状化により調製される、請求項１に記載の組成物。
【請求項４】
前記治療薬が、薬理活性物質である、請求項１に記載の組成物。
【請求項５】
前記ペレットの調製中、前記治療薬が前記脱分枝デンプンと混ぜ合わせられる、請求項３に記載の組成物。
【請求項６】
前記治療薬が前記ペレットの表面上に堆積している、請求項１に記載の組成物。
【請求項７】
前記脱分枝デンプンが、高アミロースデンプンを用いて調製されたものである、請求項１に記載の組成物。
【請求項８】
前記脱分枝デンプンが、プルラナーゼを用いて調製されたものである、請求項１に記載の組成物。
【請求項９】
前記ペレットが経膣投与される、請求項１に記載の組成物。
【手続補正書】
【提出日】平成24年10月28日(2012.10.28)
【手続補正１】
【補正対象書類名】特許請求の範囲
【補正対象項目名】全文
【補正方法】変更
【補正の内容】
【特許請求の範囲】
【請求項１】
式１の化合物
【化１】
2012506896.tif 000001
［式１中、
Ｒ１はＣＨ３であり、
Ｒ２はＣＨ３、−（ＣＨ２）ｎ−Ｒ４、−（ＣＨ２）ｎ−Ｏ−Ｒ４または−（ＣＨ２）ｎ−Ｓ−Ｒ４（式中、ｎは１、２、３もしくは４であり、Ｒ４はＣＨ３、ＣＨ２ＣＨ３もしくはＣＨ２ＣＨ２ＯＣＨ３である。）であり、
Ｒ３は水素、フェニル環のオルト／メタ位もしくはメタ／パラ位に結合した−ＯＣＨ２Ｏ−またはフェニル環のオルト／メタ位もしくはメタ／パラ位に結合した−ＯＣＨ２ＣＨ２Ｏ−であるか、
或いは
Ｒ１およびＲ２は水素であり、
Ｒ３はフェニル環のオルト／メタ位もしくはメタ／パラ位に結合した−ＯＣＨ２Ｏ−またはフェニル環のオルト／メタ位もしくはメタ／パラ位に結合した−ＯＣＨ２ＣＨ２Ｏ−である。］
または薬学的に許容可能なその酸付加塩。
【請求項２】
Ｒ１はＣＨ３であり、
Ｒ２はＣＨ３、−（ＣＨ２）ｎ−Ｒ４、−（ＣＨ２）ｎ−Ｏ−Ｒ４または−（ＣＨ２）ｎ−Ｓ−Ｒ４（式中、ｎは１、２、３もしくは４であり、Ｒ４はＣＨ３、ＣＨ２ＣＨ３もしくはＣＨ２ＣＨ２ＯＣＨ３である。）であり、
Ｒ３は水素である、
請求項１に記載の式１の化合物。
【請求項３】
Ｒ１はＣＨ３であり、
Ｒ２はＣＨ３であり、
Ｒ３は水素である、
請求項１に記載の式１の化合物。
【請求項４】
Ｒ１およびＲ２は水素であり、
Ｒ３はフェニル環のオルト／メタ位もしくはメタ／パラ位に結合した−ＯＣＨ２Ｏ−またはフェニル環のオルト／メタ位もしくはメタ／パラ位に結合した−ＯＣＨ２ＣＨ２Ｏ−である、
請求項１に記載の式１の化合物。
【請求項５】
Ｒ１およびＲ２は水素であり、
Ｒ３はフェニル環のメタ／パラ位に結合した−ＯＣＨ２Ｏ−である、
請求項１に記載の式１の化合物。
【請求項６】
請求項１から請求項５のいずれかに記載の式１の化合物または薬学的に許容可能なその酸付加塩を含む医薬組成物。
【請求項７】
スタチン、フィブラート、ナイアシンおよびエゼチミブから選択される化合物をさらに含む、請求項６に記載の医薬組成物。
【請求項８】
アポＡ１の低血漿中濃度によって引き起こされる疾病を治療または予防するための、請求項１から請求項５のいずれかに記載の式１の化合物または薬学的に許容可能なその酸付加塩。
【請求項９】
疾病がアテローム性動脈硬化疾患である、請求項８に記載の化合物または薬学的に許容可能なその酸付加塩。
【請求項１０】
疾病が心筋梗塞または脳卒中である、請求項８に記載の化合物または薬学的に許容可能なその酸付加塩。
【請求項１１】
疾病がアルツハイマー病である、請求項８に記載の化合物または薬学的に許容可能なその酸付加塩。
【請求項１２】
請求項１から請求項５のいずれかに記載の式１の化合物を有効成分とする、血漿中アポＡ１濃度を増加させる薬剤。
【請求項１３】
アテローム性動脈硬化疾患またはアルツハイマー病の治療または予防に有効である、請求項１２に記載の薬剤。
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
ａ）化合物５−（２，６−ジ−モルホリン−４−イル−ピリミジン−４−イル）−４−トリフルオロメチル−ピリジン−２−イルアミン、またはその立体異性体、互変異性体または薬学的に許容可能な塩と、
ｂ）シロリムス、エベロリムス、ＣＣＩ−７７９、ＡＢＴ５７８、ＳＡＲ５４３、アスコマイシン、ＡＰ２３５７３、ＡＰ２３８４１、ＫＵ−００６３７９４、ＩＮＫ−１２８、ＥＸ２０４４、ＥＸ３８５５、ＥＸ７５１８、ＡＺＤ０８０５５またはＯＳＩ０２７から選択される、少なくとも１つのｍＴＯＲ阻害剤
とを含む医薬併用剤。
【請求項２】
ラパマイシン標的タンパク質（ｍＴＯＲ）キナーゼ依存性疾患の治療および予防用薬物を製造するための、
化合物５−（２，６−ジ−モルホリン−４−イル−ピリミジン−４−イル）−４−トリフルオロメチル−ピリジン−２−イルアミン、またはその立体異性体、互変異性体または薬学的に許容可能な塩：および
シロリムス、エベロリムス、ＣＣＩ−７７９、ＡＢＴ５７８、ＳＡＲ５４３、アスコマイシン、ＡＰ２３５７３、ＡＰ２３８４１、ＫＵ−００６３７９４、ＩＮＫ−１２８、ＥＸ２０４４、ＥＸ３８５５、ＥＸ７５１８、ＡＺＤ０８０５５またはＯＳＩ０２７から選択されるｍＴＯＲ阻害剤
を含む医薬併用剤の使用。
【請求項３】
前記ｍＴＯＲ阻害剤がエベロリムスである、請求項１に記載の医薬併用剤。
【請求項４】
ラパマイシン標的タンパク質（ｍＴＯＲ）キナーゼ依存性疾患の治療または予防に同時、個別または順次に使用するための、請求項１に記載の医薬併用剤であり、前記疾患が増殖性疾患である前記医薬併用剤。
【請求項５】
前記ラパマイシン標的タンパク質（ｍＴＯＲ）キナーゼ依存性疾患が、臓器移植または組織移植拒絶反応；再狭窄、結節硬化症、カウデン病（Cowden Disease）、リンパ脈管筋腫症、色素性網膜炎、自己免疫疾患、ステロイド抵抗性急性リンパ芽球性白血病、線維症、肺高血圧症、免疫修飾；多発性硬化症；ＶＨＬ症候群；カーニー複合；家族性大腸ポリポーシス（familial adenonamtous polyposis）；若年性ポリポーシス症候群；バート・ホッグ・デューク（Birt-Hogg-Duke）症候群；家族性肥大型心筋症；ウォルフ・パーキンソン・ホワイト症候群；神経変性障害（Neurodegenarative disorder）；滲出型および乾燥型黄斑変性；筋消耗（萎縮、悪液質）もしくはミオパチー；細菌感染症もしくはウイルス感染症；神経線維腫症またはポイツ・ジェガース症候群；癌および他の関連する悪性腫瘍である、請求項４に記載の医薬併用剤。
【請求項６】
前記癌および他の関連する悪性腫瘍または増殖性疾患が、乳癌、腎細胞癌、胃腫瘍、神経内分泌腫瘍、リンパ腫および前立腺癌である、請求項５に記載の医薬併用剤。
【請求項７】
シロリムス、エベロリムス、ＣＣＩ−７７９、ＡＢＴ５７８、ＳＡＲ５４３、アスコマイシン、ＡＰ２３５７３、ＡＰ２３８４１、ＫＵ−００６３７９４、ＩＮＫ−１２８、ＥＸ２０４４、ＥＸ３８５５、ＥＸ７５１８、ＡＺＤ０８０５５またはＯＳＩ０２７から選択されるｍＴＯＲ阻害剤による治療中におけるＡＫＴのリン酸化および活性化の獲得による増殖性疾患の治療に使用するための、化合物５−（２，６−ジ−モルホリン−４−イル−ピリミジン−４−イル）−４−トリフルオロメチル−ピリジン−２−イルアミン、またはその立体異性体、互変異性体または薬学的に許容可能な塩。
【請求項８】
治療される疾患が、乳癌、腎細胞癌、胃腫瘍、神経内分泌腫瘍、リンパ腫および前立腺癌である、請求項７に記載の使用のための化合物５−（２，６−ジ−モルホリン−４−イル−ピリミジン−４−イル）−４−トリフルオロメチル−ピリジン−２−イルアミン、またはその立体異性体、互変異性体または薬学的に許容可能な塩。
【請求項９】
治療される疾患が、臓器移植または組織移植拒絶反応；再狭窄、結節硬化症、カウデン病、リンパ脈管筋腫症、色素性網膜炎、自己免疫疾患、ステロイド抵抗性急性リンパ芽球性白血病、線維症、肺高血圧症、免疫修飾；多発性硬化症；ＶＨＬ症候群；カーニー複合；家族性大腸ポリポーシス；若年性ポリポーシス症候群；バート・ホッグ・デューク症候群；家族性肥大型心筋症；ウォルフ・パーキンソン・ホワイト症候群；神経変性障害；滲出型および乾燥型黄斑変性；筋消耗（萎縮、悪液質）もしくはミオパチー；細菌感染症もしくはウイルス感染症；神経線維腫症またはポイツ・ジェガース症候群である、請求項７に記載の使用のための化合物５−（２，６−ジ−モルホリン−４−イル−ピリミジン−４−イル）−４−トリフルオロメチル−ピリジン−２−イルアミン、またはその立体異性体、互変異性体または薬学的に許容可能な塩。
【請求項１０】
シロリムス、エベロリムス、ＣＣＩ−７７９、ＡＢＴ５７８、ＳＡＲ５４３、アスコマイシン、ＡＰ２３５７３、ＡＰ２３８４１、ＫＵ−００６３７９４、ＩＮＫ−１２８、ＥＸ２０４４、ＥＸ３８５５、ＥＸ７５１８、ＡＺＤ０８０５５またはＯＳＩ０２７から選択されるｍＴＯＲ阻害剤による治療に抵抗性になっているか、または感受性が低下している増殖性疾患の治療に使用するための、化合物５−（２，６−ジ−モルホリン−４−イル−ピリミジン−４−イル）−４−トリフルオロメチル−ピリジン−２−イルアミン、またはその立体異性体、互変異性体または薬学的に許容可能な塩。
【請求項１１】
請求項１に記載の医薬併用剤を含む医薬組成物。
【手続補正書】
【提出日】平成24年1月25日(2012.1.25)
【手続補正１】
【補正対象書類名】特許請求の範囲
【補正対象項目名】全文
【補正方法】変更
【補正の内容】
【特許請求の範囲】
【請求項１】
第１のモールドの一半および第２のモールドの一半を含むモールド（５０ａ、５０ｂ）内で構造複合材料要素を製造する方法であって、前記方法は、
繊維または織物のプリフォーム（１０）を準備するステップと、
前記プリフォームとは別個の樹脂膜（２０）を準備するステップと、
前記プリフォームまたは前記樹脂膜の一方を前記モールドの前記第１のモールドの一半（５０ａ）内に挿入するステップと、
前記プリフォームまたは前記樹脂膜の一方が、前記第１のモールドの一半内の前記プリフォームまたは前記樹脂膜の他方の頂面上に配置されるように、前記プリフォームまたは前記樹脂膜の他方を前記第１のモールドの一半内に別個に挿入するステップと、
前記第１のモールドの一半を前記第２のモールドの一半（５０ｂ）で閉じるステップと、
前記樹脂膜を前記プリフォームに含浸させるために圧縮機内で前記モールドを加圧するステップであって、前記モールドは前記製造方法の最初から最後まで一定の加熱温度に維持される、ステップと、
を含む、方法。
【請求項２】
前記プリフォーム（１０）は、前記プリフォームの頂面上に前記樹脂膜を配置するに先立ち、前記モールド（５０ａ）内に配置される、請求項１に記載の方法。
【請求項３】
前記樹脂膜（２０）は、組み立てられたプリフォームおよび樹脂膜を前記モールド内に挿入するに先立ち、前記プリフォーム（１０）上に配置される、請求項１に記載の方法。
【請求項４】
前記モールド（５０ａ、５０ｂ）を一定温度に維持するステップは、モールド加熱システム（８０）を用いて実施される、請求項１ないし３のいずれかに記載の方法。
【請求項５】
前記加圧するステップは、１００ないし３００バール（１０ＭＰａないし３０ＭＰａ）の圧力で行われる、請求項１ないし４のいずれかに記載の方法。
【請求項６】
前記樹脂膜（２０）または前記プリフォーム（１０）の一方を前記複合材料モールド（５０ａ）に加えることに先立ち、表面樹脂層（１００）が前記モールド内に挿入される、請求項１ないし５のいずれかに記載の方法。
【請求項７】
前記一定温度が８０℃および１８０℃の間にある、請求項１ないし６のいずれかに記載の方法。
【請求項８】
前記一定温度が１２０℃および１５０℃の間にある、請求項７に記載の方法。
【請求項９】
前記樹脂膜（２０）の樹脂は、強化剤が加えられた炭素エポキシ熱硬化性樹脂である、請求項１ないし８のいずれかに記載の方法。
【請求項１０】
前記樹脂膜（２０）の樹脂が硬化するときに発熱反応を受け、モールド加熱システムが準備され、かつ、前記一定温度を維持するために前記発熱反応により発生された熱を抑えるように配列される、請求項１ないし９のいずれかに記載の方法。
【請求項１１】
請求項１ないし１０のいずれかに記載の方法により製造された、構造複合材料要素。
【請求項１２】
発熱的に硬化された樹脂物質が存在し、それが前記樹脂膜（２０）の存在に起因する、請求項１１に記載の構造複合材料要素。
【請求項１３】
第１のモールドの一半および第２のモールドの一半を含むモールド（５０ａ、５０ｂ）内で複数の構造複合材料要素を連続的に製造する方法であって、前記方法は、請求項１ないし１０のいずれかに記載のステップを含み、さらに、前記モールドから前記構造複合材料要素を取り出すステップと、前記モールドが空である間に、連続的な構造複合材料要素の製造の中間に前記モールドを一定の加熱温度に維持するステップと、次に請求項１ないし１０のいずれかに記載の方法を繰り返すステップとを含む、方法。
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
印刷領域において被印刷物に画像をマルチパス印刷するためのインクジェット印字ヘッド構成を有するマルチパスインクジェットプリンタのための被印刷物処理装置にして、
前記被印刷物がウェブを有し、更に、該ウェブを前記印刷領域において支持するためのウェブ支持装置と、前記被印刷物へのインクの印刷中にウェブを前記印刷領域において前後方向に移動させるウェブ移送装置とを有することを特徴とする被印刷物処理装置。
【請求項２】
前記ウェブ移送装置が、一回のパスにおいて印刷される画像の長さと実質的に同じ長さだけ前記ウェブを移動させるように適合されていることを特徴とする請求項１に記載の装置。
【請求項３】
前記移送装置が二つのリールを有し、該リールを使用することによって、前記ウェブが、前記二つのリール上に巻き取られ、前記二つのリールの間で前記印刷領域を通って延出しており、リールを回転させることによって、前記印刷領域において、前記ウェブが前方及び／又は後方に移動することを特徴とする請求項１に記載の装置。
【請求項４】
前記二つのリールが回転可能であることを特徴とする請求項３に記載の装置。
【請求項５】
前記印刷領域における前記被印刷物の移動に関する情報を測定するためのトラッキング装置を、更に有していることを特徴とする請求項１乃至請求項４の何れかに記載の装置。
【請求項６】
前記ウェブ移送装置が、弾性支持部材を更に有していることを特徴とする先行する請求項の何れかに記載の装置。
【請求項７】
前記印刷領域において前記ウェブが略平坦となるように、前記ウェブ支持装置が適合されている先行する請求項の何れかに記載の装置。
【請求項８】
前記ウェブ支持装置が、前記印刷領域においてプラテンを有することを特徴とする先行する請求項の何れかに記載の装置。
【請求項９】
前記プラテンが、前記被印刷物の移動方向に前記画像長さと実質的に同じ長さで延出していることを特徴とする先行する請求項の何れかに記載の装置。
【請求項１０】
支持面が、ドラム面にて構成されることを特徴とする先行する請求項の何れかに記載の装置。
【請求項１１】
前記支持面が、略平坦であることを特徴とする先行する請求項の何れかに記載の装置。
【請求項１２】
前記支持面が、印刷方向において、画像の実質的全長に亘って延出していることを特徴とする先行する請求項の何れかに記載の装置。
【請求項１３】
前記支持面の長さが、前記印刷方向において、印字ヘッドアレイの長さよりも著しく長いことを特徴とする先行する請求項の何れかに記載の装置。
【請求項１４】
印字ヘッド構成を更に有する装置にして、該印字ヘッド構成が印刷方向に移動させられるよう適合されていることを特徴とする先行する請求項の何れかに記載の装置。
【請求項１５】
前記印字ヘッド構成が複数のノズルを有し、該ノズルが、印刷方向に実質的に直角な方向に、実質的に連続的なアレイに配置されていることを特徴とする請求項１４に記載の装置。
【請求項１６】
前記支持面がドラムにて構成されており、印刷可能なドラムの円周が、印刷される画像と実質的に同じ長さであることを特徴とする先行する請求項の何れかに記載の装置。
【請求項１７】
先行する請求項の何れかに記載の装置を有するインクジェットプリンタ。
【請求項１８】
前記プリンタが、硬化性インクを硬化させるための放射線源を更に有していることを特徴とする請求項１７に記載のプリンタ。
【請求項１９】
印刷領域においてウェブを支持する工程と、被印刷物へのインクの印刷中に前記印刷領域において前記ウェブを前後方向に移動させて複数のパスにおいて画像を印刷する工程とを含む、連続ウェブにて構成される被印刷物に画像を印刷する方法。
【請求項２０】
前記ウェブを、一回のパスにおいて印刷される画像の長さと実質的に同じ長さだけ移動させる工程を更に含む請求項１９に記載の方法。
【請求項２１】
各パスが前記画像の一つの層の実質的全体を印刷することを特徴とする請求項１９又は請求項２０に記載の方法。
【請求項２２】
前記印刷領域において、支持面上に前記ウェブを支持する工程を更に含む請求項１９乃至請求項２１の何れかに記載の方法。
【請求項２３】
前記画像の実質的全長に亘って延出している支持面上に、前記ウェブを支持する工程を更に含む請求項１９乃至請求項２２の何れかに記載の方法。
【請求項２４】
印刷中に前記支持面を移動させる工程を更に含む請求項１９乃至請求項２３の何れかに記載の方法。
【請求項２５】
前記支持面がドラム面を有し、前記方法が印刷中に該ドラムを回転させる工程を含むことを特徴とする請求項２４に記載の方法。
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
少なくとも一部は１以上のペニシリン、セファロスポリン、キノロン、マクロライド、バンコマイシン、またはその組合せに耐性のある生物によって引き起こされる疾患を治療するための組成物であって、前記組成物が、式
【化１】
2012506871.tif 000001
の化合物または薬学的に許容されるその塩を含み、ここで、
Ｒ１０は水素またはアシルであり；
ＸはＨであり；かつＹはＯＲ７であり；ここで、Ｒ７は単糖または二糖、アルキル、アリール、ヘテロアリール、アシル、またはＣ（Ｏ）ＮＲ８Ｒ９であり、ここで、Ｒ８およびＲ９は、各々独立に、水素、ヒドロキシ、アルキル、アリールアルキル、アルキルアリール、ヘテロアルキル、アリール、ヘテロアリール、アルコキシ、ジメチルアミノアルキル、アシル、スルホニル、ウレイド、およびカルバモイルからなる群から選択されるか；またはＸおよびＹは、付加された炭素と一緒になってカルバモイルを形成し；
Ｖは、Ｃ（Ｏ）、Ｃ（＝ＮＲ１１）、ＣＨ（ＮＲ１２，Ｒ１３）、またはＮ（Ｒ１４）ＣＨ２であり、ここで、Ｎ（Ｒ１４）は、Ｃ−１０炭素に付加されており；ここで、Ｒ１１はヒドロキシまたはアルコキシであり、Ｒ１２およびＲ１３は、各々独立に、水素、ヒドロキシ、アルキル、アリールアルキル、アルキルアリール、アルコキシ、ヘテロアルキル、アリール、ヘテロアリール、ジメチルアミノアルキル、アシル、スルホニル、ウレイド、およびカルバモイルからなる群から選択され；Ｒ１４は、水素、ヒドロキシ、アルキル、アリールアルキル、アルキルアリール、アルコキシ、ヘテロアルキル、アリール、ヘテロアリール、ジメチルアミノアルキル、アシル、スルホニル、ウレイド、またはカルバモイルであり；
Ｗは、Ｈ、Ｆ、Ｃｌ、Ｂｒ、Ｉ、またはＯＨであり；
Ａは、ＣＨ２、Ｃ（Ｏ）、Ｃ（Ｏ）Ｏ、Ｃ（Ｏ）ＮＨ、Ｓ（Ｏ）２、Ｓ（Ｏ）２ＮＨ、Ｃ（Ｏ）ＮＨＳ（Ｏ）２であり；
Ｂは（ＣＨ２）ｎであり、ここで、ｎは０〜１０の整数であるか、またはＢは炭素数２〜１０の不飽和炭素鎖であり；かつ
Ｃは、水素、ヒドロキシ、アルキル、アリールアルキル、アルコキシ、ヘテロアルキル、任意で置換されるアリール、任意で置換されるヘテロアリール、アシル、アシルオキシ、スルホニル、ウレイド、またはカルバモイルである、組成物。
【請求項２】
Ｒ７がアミノ糖またはハロ糖である、請求項１に記載の組成物。
【請求項３】
Ｒ７が任意で置換されるクラジノシルである、請求項１に記載の組成物。
【請求項４】
ＡがＣＨ２である、請求項１に記載の組成物。
【請求項５】
Ｂがアルケニレンである、請求項１に記載の組成物。
【請求項６】
ＡがＣＨ２であり、Ｂが（ＣＨ２）ｎであり、かつｎが２〜４の整数である、請求項１に記載の組成物。
【請求項７】
ｎが３である、請求項６に記載の組成物。
【請求項８】
Ｖが−Ｃ（Ｏ）−である、請求項１に記載の組成物。
【請求項９】
ＷがＦである、請求項１に記載の組成物。
【請求項１０】
ＸおよびＹが付加された炭素と一緒になってカルバモイルを形成する、請求項１に記載の組成物。
【請求項１１】
Ｒ１０が水素である、請求項１に記載の組成物。
【請求項１２】
Ｃが任意で置換されるアリールまたは任意で置換されるヘテロアリールである、請求項１〜１１のいずれか１項に記載の組成物。
【請求項１３】
Ｃが３−アミノフェニルである、請求項１２に記載の組成物。
【請求項１４】
前記生物が、ＭＲＳＡ、ＶＲＳＡ、マクロライド−リンコサミド−ストレプトグラミンＢ（ＭＬＳＢ）耐性生物、ＭＤＲ肺炎球菌、肺炎レンサ球菌血清型１９Ａ、エリスロマイシン耐性化膿レンサ球菌、エリスロマイシン耐性ブドウ球菌、あるいは少なくとも１つのｅｒｍ（Ｂ）、ｅｒｍ（Ａ）、ｍｅｆ（Ａ）、ｍｅｆ（Ｅ）、ｍｅｆ（Ｉ）、ｅｒｍ（Ｂ）＋ｍｅｆ（Ａ）、Ｌ４、もしくは２３Ｓリボソームタンパク質突然変異、またはその組合せを有する肺炎レンサ球菌である、請求項１２に記載の組成物。
【請求項１５】
前記生物が淋菌、マイコプラズマ、ウレアプラズマ、レジオネラ・ニューモフィラ、カタラリス菌、大便レンサ球菌、もしくはクラミジア、またはその組み合わせである、請求項１２に記載の組成物。
【請求項１６】
前記治療有効量が、黄色ブドウ球菌、表皮ブドウ球菌、肺炎レンサ球菌、化膿レンサ球菌、およびＳ．ミティスの少なくとも１つにとって殺菌性である、請求項１２に記載の組成物。
【請求項１７】
少なくとも一部は１以上のペニシリン、セファロスポリン、キノロン、マクロライド、バンコマイシン、またはその組合せに耐性のある生物によって引き起こされる疾患を治療するための単一または分割単位投与量または単位投薬形式であって、請求項１２に記載の１以上の有効量の化合物と、１以上の薬学的に許容されるそのための担体、賦形剤、もしくは希釈剤、またはその組合せとを含む単位投与量または単位投薬形式。
【請求項１８】
少なくとも一部が１以上のペニシリン、セファロスポリン、キノロン、マクロライド、バンコマイシン、またはその組合せに耐性のある生物によって引き起こされる疾患を治療するための医薬品の製造における、請求項１２に記載の１以上の治療有効量の化合物の使用。
【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
少なくとも一部が炭疽菌、ペスト菌、野兎病菌、および鼻疽菌、ならびにそれらの組合せからなる群から選択される生物によって引き起こされる疾患を治療するための医薬品の製造における治療有効量の化合物または薬学的に許容されるその塩の使用であって、前記化合物が、式
【化１】
2012506872.tif 000001
で表される化合物であり、ここで、
Ｒ１０は水素またはアシルであり；
ＸはＨであり；かつＹはＯＲ７であり；ここで、Ｒ７は単糖または二糖、アルキル、アリール、ヘテロアリール、アシル、またはＣ（Ｏ）ＮＲ８Ｒ９であり、ここで、Ｒ８およびＲ９は、各々独立に、水素、ヒドロキシ、アルキル、アラルキル、アルキルアリール、ヘテロアルキル、アリール、ヘテロアリール、アルコキシ、ジメチルアミノアルキル、アシル、スルホニル、ウレイド、およびカルバモイルからなる群から選択されるか；またはＸおよびＹは、付加された炭素と一緒になってカルボニルを形成し；
Ｖは、Ｃ（Ｏ）、Ｃ（＝ＮＲ１１）、ＣＨ（ＮＲ１２，Ｒ１３）、またはＮ（Ｒ１４）ＣＨ２であり、ここで、Ｎ（Ｒ１４）は、Ｃ−１０炭素に付加されており；ここで、Ｒ１１はヒドロキシまたはアルコキシであり、Ｒ１２およびＲ１３は、各々独立に、水素、ヒドロキシ、アルキル、アラルキル、アルキルアリール、アルコキシ、ヘテロアルキル、アリール、ヘテロアリール、ジメチルアミノアルキル、アシル、スルホニル、ウレイド、およびカルバモイルからなる群から選択され；Ｒ１４は、水素、ヒドロキシ、アルキル、アラルキル、アルキルアリール、アルコキシ、ヘテロアルキル、アリール、ヘテロアリール、ジメチルアミノアルキル、アシル、スルホニル、ウレイド、またはカルバモイルであり；
Ｗは、Ｈ、Ｆ、Ｃｌ、Ｂｒ、Ｉ、またはＯＨであり；
Ａは、ＣＨ２、Ｃ（Ｏ）、Ｃ（Ｏ）Ｏ、Ｃ（Ｏ）ＮＨ、Ｓ（Ｏ）２、Ｓ（Ｏ）２ＮＨ、Ｃ（Ｏ）ＮＨＳ（Ｏ）２であり；
Ｂは、ｎが０〜１０の整数である（ＣＨ２）ｎであるか、またはＢは、炭素数２〜１０の不飽和炭素鎖であり；かつ
Ｃは、水素、ヒドロキシ、アルキル、アラルキル、アルキルアリール、アルコキシ、ヘテロアルキル、任意に置換されたアリール、任意に置換されたヘテロアリール、アミノアリール、アルキルアミノアリール、アシル、アシルオキシ、スルホニル、ウレイド、またはカルバモイルである、化合物または薬学的に許容されるその塩の使用。
【請求項２】
Ｒ７がアミノ糖またはハロ糖である、請求項１に記載の使用。
【請求項３】
Ｒ７が４−ニトロ−フェニルアセチルまたは２−ピリジルアセチルである、請求項１に記載の使用。
【請求項４】
Ｒ７が任意に置換されたクラジノシルである、請求項１に記載の使用。
【請求項５】
Ｒ７がクラジノシルである、請求項４に記載の使用。
【請求項６】
Ｖが−Ｃ（Ｏ）−である、請求項１に記載の使用。
【請求項７】
ＷがＨまたはＦである、請求項１に記載の使用。
【請求項８】
ＷがＦである、請求項７に記載の使用。
【請求項９】
ＸおよびＹが付加された炭素と一緒になってカルボニルを形成する、請求項１に記載の使用。
【請求項１０】
Ｒ１０が水素である、請求項１に記載の使用。
【請求項１１】
ＡがＣＨ２である、請求項１〜１０のいずれか１項に記載の使用。
【請求項１２】
Ｂが（ＣＨ２）ｎであり、ｎが１〜５の整数である、請求項１〜１０のいずれか１項に記載の使用。
【請求項１３】
ｎが２〜４の整数である、請求項１２に記載の使用。
【請求項１４】
ｎが３である、請求項１２に記載の使用。
【請求項１５】
Ｃが任意に置換されたアリールまたは任意に置換されたヘテロアリールである、請求項１〜１０のいずれか１項に記載の使用。
【請求項１６】
Ｃが３−アミノフェニルまたは３−ピリジニルである、請求項１５に記載の使用。
【請求項１７】
Ｃが３−アミノフェニルである、請求項１５に記載の使用。
【請求項１８】
ＡがＣＨ２であり、Ｂが（ＣＨ２）ｎであり、ｎが２〜４の整数である、請求項１７に記載の使用。
【請求項１９】
ｎが３である、請求項１８に記載の使用。
【請求項２０】
前記医薬品が、炭疽菌、ペスト菌、野兎病菌、および鼻疽菌、ならびにそれらの組合せからなる群から選択される１以上の生物に曝露された患者の急性曝露治療のために製造される、請求項１〜１０のいずれか１項に記載の使用。
【請求項２１】
少なくとも一部が炭疽菌、ペスト菌、野兎病菌、および鼻疽菌、ならびにそれらの組合せからなる群から選択される生物によって引き起こされる疾患を治療するための薬学的組成物であって、請求項１〜１０のいずれか１項に記載の１以上の化合物と、１以上の薬学的に許容される担体、希釈剤、もしくは賦形剤、またはその組合せとを含む、薬学的組成物。
【請求項２２】
少なくとも一部が炭疽菌、ペスト菌、野兎病菌、および鼻疽菌、ならびにそれらの組合せからなる群から選択される生物によって引き起こされる疾患を治療するための、請求項１〜１０のいずれか１項に記載の１以上の化合物の治療有効量と、１以上の薬学的に許容される担体、希釈剤、もしくは賦形剤、またはその組合せとを含む、単回または分割された単位用量または単位投薬形態の請求項２１に記載の薬学的組成物。
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
配列番号９に少なくとも９０％同一であるアミノ酸配列を含むポリペプチドを含む、免疫原性組成物。
【請求項２】
配列番号１３に少なくとも９０％同一であるアミノ酸配列を含む第二のポリペプチドをさらに含む、請求項１に記載の免疫原性組成物。
【請求項３】
配列番号９に少なくとも９０％同一であるアミノ酸配列を含むポリペプチドをコードするポリヌクレオチドを含む、免疫原性組成物。
【請求項４】
前記ポリヌクレオチドが、配列番号３４に少なくとも９０％同一であるヌクレオチド配列を含む、請求項３に記載の免疫原性組成物。
【請求項５】
配列番号１３に少なくとも９０％同一であるアミノ酸配列を含むポリペプチドをコードする第二のポリヌクレオチドをさらに含む、請求項３または４に記載の免疫原性組成物。
【請求項６】
前記第二のポリヌクレオチドが、配列番号３８に少なくとも９０％同一であるヌクレオチド配列を含む、請求項５に記載の免疫原性組成物。
【請求項７】
前記ポリヌクレオチドは、組換えウイルスベクターまたは細菌ベクターから構成される、請求項３または４に記載の免疫原性組成物。
【請求項８】
前記ポリヌクレオチドおよび前記第二のポリヌクレオチドの双方が、組換えウイルスベクターまたは細菌ベクターから構成される、請求項５または６に記載の免疫原性組成物。
【請求項９】
アジュバントをさらに含む、請求項１、２、３、４、５、６、７、または８に記載の免疫原性組成物であって、該アジュバントは、水酸化アルミニウム、リン酸アルミニウム、油、水および水酸化アルミニウム、ＱｕｉｌＡ、ＱｕｉｌＡプラスコレステロール、ならびに免疫刺激複合体（ＩＳＣＯＭ）からなる群から選択される、免疫原性組成物。
【請求項１０】
請求項１、２、３、４、５、６、７、８、または９に記載の免疫原性組成物を含む、ワクチン。
【請求項１１】
Ｍｙｃｏｐｌａｓｍａ  Ｈｙｏｐｎｅｕｍｏｎｉａｅ、Ｅｒｙｓｉｐｅｌａｓ  ｓｐｐ、ｓａｌｍｏｎｅｌｌａ、Ｈ．ｐａｒａｓｕｉｓ、ｃｌｏｓｔｒｉｄｉｕｍ  ｓｐｐ、ｓｔｒｅｐｔｏｃｃｏｕｓ  ｓｕｉｓ、ｂｒａｃｈｙｓｐｉｒａ  ｓｐｐ、ｂｏｒｄｅｔｅｌｌａ、ｐａｓｔｅｕｒｅｌｌａ、Ｅ．ｃｏｌｉ、コロナウイルス、パルボウイルス、ＰＲＲＳ、サーコウイルス、またはＳＩＶのうちの１つまたは複数の抗原性成分をさらに含む、請求項１０に記載のワクチン。
【請求項１２】
動物において、Ｌａｗｓｏｎｉａ  ｉｎｔｒａｃｅｌｌｕｌａｒｉｓに対する保護的免疫反応を誘導するための、請求項１０に記載のワクチン。
【請求項１３】
動物から得られた生物学的サンプルにおける、Ｌａｗｓｏｎｉａに反応性の抗体の特異的検出のための方法であって、
ａ）配列番号９または１３で示される配列、またはその免疫原性断片を有するＬａｗｓｏｎｉａ抗原と、該生物学的サンプルを接触させる工程、
ｂ）該生物学的サンプル中の該Ｌａｗｓｏｎｉａ抗原と抗体との間の抗原−抗体結合を検出する工程であって、該抗原−抗体結合の検出は、該生物学的サンプルにおけるＬａｗｓｏｎｉａに反応性の抗体の存在を示す、工程
を包含する、方法。
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
部分的に硬化した塗装表面を保護するためのカバーであって、
ａ）外面と内面と周縁とを有する通気性膜であって、液体水不透過性であり、２４時間当たり５００〜５０００ｇ／ｍ2の水蒸気透過率で水蒸気透過性であり、そして２５秒未満のガーリー・ヒル多孔度を有する通気性膜と、
ｂ）前記カバーを前記塗装表面に貼り付けるための接着テープとを備え、前記テープが、
（ｉ）前記カバーの周縁に沿って前記膜の前記内面を覆う永久接着剤層と、
（ｉｉ）前記塗装表面に接触する除去可能な接着剤層と、
（ｉｉｉ）前記永久接着剤層と前記除去可能な接着剤層との間に配置されたキャリア層とを備え、
前記塗装表面における前記除去可能な接着剤層の剥離強度が、前記膜における前記永久接着剤層の剥離強度よりも低いカバー。
【手続補正２】
【補正対象書類名】明細書
【補正対象項目名】００５９
【補正方法】変更
【補正の内容】
【００５９】
実施例１９は、長時間のおよびＵＶ曝露下のほぼ一定の剥離強度を示している。しかし、比較例２、１３および１４のすべては、長時間のＵＶ曝露下で剥離強度が増加することを示している。このことは、表面に対する不可逆的な損傷をもたらす、クリアコートと相互作用する化学物質の指標になると考えられる。実施例２１は、（実施例１９と同様に）長時間のおよびＵＶ曝露下のほぼ一定の剥離強度を示しているが、種々のクリアコート表面には接着剤の残りがない。
以下、本発明の態様を示す。
１．部分的に硬化した塗装表面を保護するためのカバーであって、
ａ）外面と内面と周縁とを有する通気性膜であって、液体水不透過性であり、２４時間当たり５００〜５０００ｇ／ｍ2の水蒸気透過率で水蒸気透過性であり、そして２５秒未満のガーリー・ヒル多孔度を有する通気性膜と、
ｂ）前記カバーを前記塗装表面に貼り付けるための接着テープとを備え、前記テープが、
（ｉ）前記カバーの周縁に沿って前記膜の前記内面を覆う永久接着剤層と、
（ｉｉ）前記塗装表面に接触する除去可能な接着剤層と、
（ｉｉｉ）前記永久接着剤層と前記除去可能な接着剤層との間に配置されたキャリア層とを備え、
前記塗装表面における前記除去可能な接着剤層の剥離強度が、前記膜における前記永久接着剤層の剥離強度よりも低いカバー。
２．前記膜が、ポリエチレン、ポリプロピレン、ポリエステル、アセチルポリオキシメチレン樹脂およびポリアミドからなる群から選択されるポリマーから形成される上記１に記載のカバー。
３．前記膜が、フラッシュスパンプレキシフィラメント状フィルム−フィブリルポリエチレンを含む上記２に記載のカバー。
４．前記膜、前記永久接着剤層、前記除去可能な接着剤層および前記キャリア層の少なくとも１つが、紫外線ブロッカーを含む上記１に記載のカバー。
５．前記膜が、前記部分的に硬化した塗装表面の表面エネルギーよりも低い表面エネルギーを有する上記１に記載のカバー。
６．前記除去可能な接着剤層が、前記部分的に硬化した（または完全に硬化した）塗装表面の引張係数以下の引張係数を有する上記１に記載のカバー。
７．前記永久接着剤層が、アクリルベースの接着剤、ブチルゴムとスチレンブタジエンゴムとを含むゴムベースの接着剤、ホットメルト接着剤、およびブロックコポリマー接着剤からなる群から選択される接着剤を含む上記１に記載のカバー。
８．前記除去可能な接着剤層が、ゴム、ブロックコポリマー、ブチルゴムおよびスチレンブタジエンゴムからなる群から選択される接着剤を含み、前記除去可能な接着剤が、前記塗装との界面において化学的に不活性である上記１に記載のカバー。
９．前記除去可能な接着剤層が、さらに、ＵＶ安定剤、酸化防止剤および粘着付与剤からなる群から選択される添加剤を含む上記１に記載のカバー。
１０．前記テープが１０ｍｍ〜１００ｍｍの幅を有し、前記永久接着剤層が２０マイクロメートル〜６０マイクロメートルの厚さを有し、前記除去可能な接着剤層が３０マイクロメートル〜８０マイクロメートルの厚さを有する上記１に記載のカバー。
１１．前記カバーが、さらに、前記除去可能な接着剤層を覆う剥離ライナーを備え、前記剥離ライナーが、十分に硬化した低接着性の平滑なコーティングを備える上記１に記載のカバー。
１２．前記カバーが、さらに、上記１に記載のテープに平行でありかつ上記１に記載のテープから５ミリメートル未満だけ離間して配置されている差別化された多層の第２の接着テープを備える上記１に記載のカバー。